(57)【特許請求の範囲】
【請求項１】
高電圧ケーブルが内部に挿通された接続ケーブルと、該接続ケーブルの先端部に設けられたヘッド部とを備え、
前記ヘッド部は、
前記高電圧ケーブルと電気的に接続された放電電極と、
前記放電電極の先端部の外周を包囲するとともに該放電電極を保持する電極保持部が一体形成された絶縁性を有する電極ホルダと、
前記電極ホルダの外周に配置された対向電極と、
前記電極保持部の基端側における前記対向電極と前記放電電極との間に配置されるとともに前記放電電極の基端部並びに前記放電電極と前記高電圧ケーブルとの接続部を包囲して保持する絶縁パイプと、
前記接続ケーブルの先端部から導出され前記ヘッド部内に挿通された前記高電圧ケーブルの先端導出部を保持する保持部材とを備え、前記高電圧ケーブルを介して前記放電電極に高電圧を印加することで生じるコロナ放電によって除電イオンを生成する除電装置であって、
前記電極ホルダ及び前記絶縁パイプは、フッ素樹脂にて形成され、
前記電極ホルダには、前記絶縁パイプと前記対向電極との間に介在されるとともに前記絶縁パイプの外周における前記接続部と対応する部位を包囲する包囲部が一体形成されており、
前記保持部材は、前記高電圧ケーブルの前記先端導出部の外周を包囲する筒状をなし、
前記保持部材の先端部が前記電極ホルダの前記包囲部の内周側に位置していることを特徴とする除電装置。
【請求項２】
請求項１に記載の除電装置において、
前記保持部材がフッ素樹脂にて形成されていることを特徴とする除電装置。
【請求項３】
請求項１又は２に記載の除電装置において、
前記電極ホルダには、前記ヘッド部に供給され該ヘッド部内のエア供給通路を通る圧縮エアを放出するエア放出孔が形成され、前記除電イオンを前記エア放出孔から放出される前記圧縮エアに乗せて除電対象物に供給可能に構成されていることを特徴とする除電装置。
【請求項４】
請求項３に記載の除電装置において、
前記電極ホルダは、前記放電電極の外周を包囲する筒状の周壁部を有し、該周壁部の内周側に構成されるイオン生成室内で生成された前記除電イオンを前記周壁部先端のイオン放出口から放出するように構成され、
前記電極ホルダの前記エア放出孔は、前記イオン放出口の外周側の位置に形成されていることを特徴とする除電装置。
【請求項５】
請求項４に記載の除電装置において、
前記周壁部には、前記エア供給通路と前記イオン生成室とを連通する連通孔が形成されていることを特徴とする除電装置。
【発明の詳細な説明】
【技術分野】
【０００１】
本発明は、静電気を除去する除電装置に関するものである。
【背景技術】
【０００２】
従来、例えば特許文献１に開示されるように、除電対象物に対してスポット的にイオンを供給するタイプの除電装置がある。この種の除電装置では、内部に高電圧ケーブルが挿通された接続ケーブルが本体コントローラから延出され、その接続ケーブルの先端部にはイオンを発生する小型のヘッド部が設けられている。ヘッド部は、高電圧ケーブルと電気的に接続された針状の放電電極と、放電電極の外周を包囲するとともに該放電電極を保持する絶縁性を有する電極ホルダと、電極ホルダの外周に配置された筒状の対向電極（接地電極）とを備える。そして、放電電極に高電圧を印加することでコロナ放電が生じ、それにより生成されるイオンを除電対象物に供給して除電を行うようになっている。
【先行技術文献】
【特許文献】
【０００３】
【特許文献１】特開２００５−２０３２９１号公報
【発明の概要】
【発明が解決しようとする課題】
【０００４】
ところで、上記ヘッド部の電極ホルダは、放電電極と対向電極との間の電気的絶縁を図るべく絶縁体で形成されるものであり、上記特許文献１では、絶縁破壊が生じにくいセラミックで電極ホルダを形成している。これにより、電極ホルダを小型にして放電電極と対向電極との間隔を狭く構成することが可能となり、ヘッド部の小型化を実現している。しかしながら、セラミックは比誘電率が高い物質であるため、放電電極に高電圧を印加させた時に電極ホルダ内に誘電分極が生じて電界が大きくなる。それにより、電極ホルダと対向電極との間で放電が発生して電極ホルダが劣化する問題があった。
【０００５】
本発明は、上記課題を解決するためになされたものであって、その目的は、電極ホルダの劣化を抑えつつもヘッド部の小型化を可能な除電装置を提供することにある。
【課題を解決するための手段】
【０００６】
上記課題を解決する除電装置は、高電圧ケーブルが内部に挿通された接続ケーブルと、該接続ケーブルの先端部に設けられたヘッド部とを備え、前記ヘッド部は、前記高電圧ケーブルと電気的に接続された放電電極と、前記放電電極の外周を包囲するとともに該放電電極を保持する絶縁性を有する電極ホルダと、前記電極ホルダの外周に配置された対向電極と、前記対向電極と前記放電電極との間に配置されるとともに前記放電電極と前記高電圧ケーブルとの接続部を包囲して保持する絶縁パイプと、前記接続ケーブルの先端部から導出され前記ヘッド部内に挿通された前記高電圧ケーブルの先端導出部を保持する保持部材とを備え、前記高電圧ケーブルを介して前記放電電極に高電圧を印加することで生じるコロナ放電によってイオンを生成する除電装置であって、前記電極ホルダは、フッ素樹脂にて形成されている。
【０００７】
この構成によれば、放電電極と対向電極との間の電気的絶縁を図る電極ホルダがフッ素樹脂にて形成される。フッ素樹脂は比誘電率が比較的低いため、電極ホルダと対向電極との間での放電の発生が抑制され、電極ホルダの劣化が抑制される。更に、フッ素樹脂は耐熱性が高いため、電極ホルダを小型にして放電電極と対向電極との間隔を狭くしても電極ホルダの絶縁破壊が生じにくい。このように、電極ホルダにフッ素樹脂を用いることで、電極ホルダの劣化を抑えつつもヘッド部の小型化を可能となる。
【０００８】
上記除電装置において、前記電極ホルダには、前記絶縁パイプと前記対向電極との間に介在されるとともに前記絶縁パイプの外周における前記接続部と対応する部位を包囲する包囲部が一体形成されていることが好ましい。
【０００９】
この構成によれば、絶縁破壊が生じやすい放電電極と高電圧ケーブルとの接続部の外周が絶縁パイプとフッ素樹脂よりなる電極ホルダの包囲部とによって包囲されるため、絶縁パイプ及び電極ホルダの絶縁部に絶縁破壊が生じることがより一層抑制され、その結果、ヘッド部のより一層の小型化に寄与できる。また、電極ホルダの包囲部が絶縁パイプと対向電極との間に介在されるため、絶縁パイプと対向電極との間での放電の発生を抑制することができる。
【００１０】
上記除電装置において、前記保持部材がフッ素樹脂にて形成されていることが好ましい。
この構成によれば、高電圧ケーブルを保持する保持部材がフッ素樹脂にて形成されるため、該保持部材の絶縁破壊が生じることが抑制され、その結果、ヘッド部のより一層の小型化に寄与できる。
【００１１】
上記除電装置において、前記保持部材は、前記高電圧ケーブルの前記先端導出部の外周を包囲する筒状をなし、前記保持部材の先端部が前記電極ホルダの前記包囲部の内周側に位置していることが好ましい。
【００１２】
この構成によれば、ヘッド部内に挿通された高電圧ケーブルの先端導出部、該先端導出部と放電電極との接続部、及び放電電極がフッ素樹脂よりなる電極ホルダ及び保持部材の少なくとも一方にて包囲されるため、放電電極と対向電極との間の絶縁部分の絶縁破壊をより一層抑制することができる。
【００１３】
上記除電装置において、前記電極ホルダには、前記ヘッド部に供給され該ヘッド部内のエア供給通路を通る圧縮エアを放出するエア放出孔が形成され、前記除電イオンを前記エア放出孔から放出される前記圧縮エアに乗せて除電対象物に供給可能に構成されていることが好ましい。
【００１４】
この構成によれば、ヘッド部で生成された除電イオンを除電対象物に効率的に供給することが可能となる。
上記除電装置において、前記電極ホルダは、前記放電電極の外周を包囲する筒状の周壁部を有し、該周壁部の内周側に構成されるイオン生成室内で生成された前記除電イオンを前記周壁部先端のイオン放出口から放出するように構成され、前記電極ホルダの前記エア放出孔は、前記イオン放出口の外周側の位置に形成されていることが好ましい。
【００１５】
この構成によれば、周壁部先端のイオン放出口から放出される除電イオンを乗せて運ぶための圧縮エアを放出するエア放出孔が、イオン放出口の外周側に形成されるため、除電イオンを除電対象物により効率的に供給することが可能となる。
【００１６】
上記除電装置において、前記周壁部には、前記エア供給通路と前記イオン生成室とを連通する連通孔が形成されていることが好ましい。
この構成によれば、電極ホルダの周壁部に形成された連通孔によってイオン生成室内が正圧となるため、周壁部の放出口からイオン生成室に外気が入り込むことを抑制することができる。その結果、外気に含まれる塵埃等がイオン生成室内及び放電電極に付着することを抑制することができる。
【発明の効果】
【００１７】
本発明の除電装置によれば、電極ホルダの劣化を抑えつつもヘッド部の小型化を可能となる。
【図面の簡単な説明】
【００１８】
【図１】（ａ）（ｂ）実施形態の除電装置におけるヘッド部付近の断面図である。
【発明を実施するための形態】
【００１９】
以下、除電装置の一実施形態について説明する。
図１（ａ）に示すように、除電装置１０は、本体コントローラ１１と、本体コントローラ１１から延び可撓性を有する接続ケーブル１２と、接続ケーブル１２の先端に装着されるヘッド部１３とを備え、ヘッド部１３から除電イオンを圧縮エアに乗せて除電対象物にスポット的に供給するスポット型の除電装置として構成されている。
【００２０】
本体コントローラ１１は、コロナ放電によるイオン生成のための例えば数ｋＶの交流高電圧を生成する電源生成部と、外部から供給される圧縮エアの流量を調整するエア供給部とを備えている。
【００２１】
本体コントローラ１１から延びる外形円形状の可撓性を有する接続ケーブル１２は、外側を覆う樹脂ジャケット１４内に、交流高電圧をヘッド部１３に供給する高電圧ケーブル１５と圧縮エアをヘッド部１３に供給するエアチューブ１６とが並設されて挿通されている。つまり、高電圧ケーブル１５とエアチューブ１６とは別体であるが、両者が共に樹脂ジャケット１４内に挿通されることで、１本の接続ケーブル１２として構成されている。
【００２２】
高電圧ケーブル１５は、芯線１５ａと、その外周を覆い芯線１５ａに印加される数ｋＶの交流高電圧との絶縁を図る絶縁部１５ｂと、更にその外周を覆う金属ネットを含むシールド部１５ｃとを有して構成されている。芯線１５ａは銅線、絶縁部１５ｂはシリコン系やフッ素系の樹脂よりなる。シールド部１５ｃは、芯線１５ａに流れる交流高電圧による放電が高電圧ケーブル１５の外部に生じないようにシールドする。エアチューブ１６は、主として圧縮エアの圧力に耐え得るウレタン系樹脂にて形成されている。高電圧ケーブル１５及びエアチューブ１６を覆う樹脂ジャケット１４は、ウレタン系樹脂にて形成されている。
【００２３】
接続ケーブル１２の先端には、ヘッド部１３と連結するための円筒状の連結部材１７が装着されている。連結部材１７の開口部からは高電圧ケーブル１５とエアチューブ１６とが導出され、それ以外の開口部分が樹脂性の封止剤１８にて封止されている。封止剤１８は、接続ケーブル１２（連結部材１７）と連結するヘッド部１３に対して供給された圧縮エアの一部が連結部材１７の開口部から接続ケーブル１２の樹脂ジャケット１４内に進入（逆流）しないようにしている。なお、高電圧ケーブル１５のシールド部１５ｃは、その封止剤１８の手前部分で捲られている。
【００２４】
［ヘッド部の構成］
接続ケーブル１２の先端部には、接続ケーブル１２と同軸かつ略同一の径を有する外形円形状のヘッド部１３が一体的に装着されている。
【００２５】
ヘッド部１３は、接続ケーブル１２の先端の連結部材１７に装着される円筒状の対向電極２１と、対向電極２１の先端部に装着された電極ホルダ２２と、電極ホルダ２２に保持された針状の放電電極２３とを備え、対向電極２１と電極ホルダ２２とでヘッド部１３の外殻部分が構成されている。また、ヘッド部１３は、対向電極２１の内側に配置された筒状の保持ブロック２４（保持部材）と、保持ブロック２４に保持された円筒状の絶縁パイプ２５とを備えている。
【００２６】
ヘッド部１３の外殻を構成する対向電極２１はステンレス鋼よりなり、対向電極２１の軸方向基端部には、連結部材１７の先端外周に形成されたねじ部１７ａに螺着固定される螺着部２１ａが形成されている。なお、連結部材１７は、接続ケーブル１２（樹脂ジャケット１４）内に配線された図示しないアース線と接触され、その連結部材１７と接触する対向電極２１もアース電位となっている。
【００２７】
保持ブロック２４は、対向電極２１において螺着部２１ａのやや先端側の位置に形成された段差部２１ｂと連結部材１７の先端部とによって軸方向に挟持された被挟持部２４ａと、被挟持部２４ａから対向電極２１の先端側に延びるガイド部２４ｂとを有している。保持ブロック２４は、全体としてＰＴＦＥ（ポリテトラフルオロエチレン）等のフッ素樹脂にて形成される部材であり、本実施形態では切削加工により形成されている。
【００２８】
保持ブロック２４のガイド部２４ｂは、接続ケーブル１２と同軸であって被挟持部２４ａよりも小径である円筒状をなし、連結部材１７の開口部（封止剤）からヘッド部１３内に導出された高電圧ケーブルの先端導出部１５ｄをヘッド部１３の径中心に案内しつつ保持している。なお、高電圧ケーブル１５は、先端導出部１５ｄにおいてはシールド部１５ｃが剥がされて芯線１５ａが絶縁部１５ｂにて被覆されるのみの構成となっている。また、ガイド部２４ｂには、そのガイド部２４ｂの内外を連通するように径方向に貫通する貫通孔２４ｃが形成されている。
【００２９】
図１（ｂ）に示すように、対向電極２１の先端部（螺着部２１ａとは反対側の端部）に装着された電極ホルダ２２は、全体としてＰＦＡ（テトラフルオロエチレン・パーフルオロアルキルビニルエーテル共重合体）等のフッ素樹脂にて形成される部材であり、本実施形態では射出成形にて形成されている。
【００３０】
電極ホルダ２２は、対向電極２１先端の開口部２１ｃに挿入された円筒状の外周部３１（包囲部）を有している。外周部３１は対向電極２１と同軸をなし、外周部３１の外周面の一部が対向電極２１の内周面と径方向に当接している。なお、外周部３１の外周面と対向電極２１の内周面との間には環状のシール部材Ｓが介装され、その間からのエア漏れが抑制されている。
【００３１】
外周部３１の先端部は、開口部２１ｃから対向電極２１外に突出しており、その突出部位には外周側に突出する位置決め部３１ａが形成されている。電極ホルダ２２を対向電極２１の先端部に組み付ける際には、位置決め部３１ａが対向電極２１の先端部と当接するまで外周部３１を対向電極２１に挿入するようになっている。
【００３２】
電極ホルダ２２の先端部における外周部３１の内周側には、有底円筒状をなす電極保持部３２が形成されている。電極保持部３２は、電極ホルダ２２の先端面の径中心部において軸方向内側（基端側）に窪むように形成され、電極保持部３２の周壁部３２ａは外周部３１の内周面と空隙を介して径方向に対向している。
【００３３】
また、電極保持部３２の周壁部３２ａと外周部３１とは、電極ホルダ２２先端の先端連結部３３において繋がっている。先端連結部３３は、電極ホルダ２２の軸線を中心とする円環状をなし、この先端連結部３３には、電極ホルダ２２の軸方向に沿って貫通するエア放出孔３３ａが周方向に沿って複数形成されている。また、電極保持部３２の周壁部３２ａには、該周壁部３２ａの内周側の空間と、周壁部３２ａと外周部３１との間の空間とを連通する連通孔３２ｂが形成されている。
【００３４】
電極保持部３２の底部（電極保持部３２における先端連結部３３とは反対側の端部）には、電極ホルダ２２の軸方向に貫通する保持孔３２ｃが形成されている。保持孔３２ｃには針状の放電電極２３が挿入され、放電電極２３の軸方向中央部が保持孔３２ｃにて保持されている。放電電極２３の先端部は電極保持部３２の周壁部３２ａに外周を包囲され、放電電極２３の基端部は保持孔３２ｃからヘッド部１３の内部側に突出している。
【００３５】
なお、放電電極２３の先端部を包囲する周壁部３２ａの内周側にはイオン生成室Ｇが構成されており、放電電極２３への高電圧の印加によってイオン生成室Ｇで生成された除電イオンが、周壁部３２ａの先端部のイオン放出口３２ｄから放出されるようになっている。
【００３６】
電極保持部３２の基端側には、保持ブロック２４のガイド部２４ｂに挿入されて保持された円筒状の絶縁パイプ２５が配置されている。絶縁パイプ２５は、例えばＰＴＦＥ（ポリテトラフルオロエチレン）等のフッ素樹脂にて形成されている。なお、電極ホルダ２２、絶縁パイプ２５及び保持ブロック２４は同軸配置され、電極保持部３２の底部の一部（保持孔３２ｃを含む部位）が絶縁パイプ２５に挿入される構成となっている。また、絶縁パイプ２５の外径は、電極保持部３２の周壁部３２ａの外径と略等しく設定されている。
【００３７】
絶縁パイプ２５には、その先端側から放電電極２３の基端部が挿通される一方、基端側からは高電圧ケーブル１５の先端部が挿通されて保持されている。そして、絶縁パイプ２５は、高電圧ケーブル１５の先端から突出する芯線１５ａと放電電極２３とを電気的に接続する接続部３４の外周を覆って該接続部３４を保持している。
【００３８】
接続部３４は、高電圧ケーブル１５の先端から突出する芯線１５ａに装着された端子部材３５（接続端子部）と、放電電極２３の基端部に固定され端子部材３５と接触するコイルばね状の接触子３６とからなる。端子部材３５は、絶縁パイプ２５の軸方向（長手方向）の略中央に位置するように構成されている。コイルばね状の接触子３６は、電極ホルダ２２の装着時において該電極ホルダ２２側に放電電極２３と共に予め組み付けられており、電極ホルダ２２の装着によって接触子３６が端子部材３５と弾性的に接触するようになっている。
【００３９】
次に、電極ホルダ２２、保持ブロック２４、絶縁パイプ２５及び接続部３４の位置関係について詳述する。
電極ホルダ２２の外周部３１の一部と、保持ブロック２４のガイド部２４ｂの先端部２４ｄは、絶縁パイプ２５の外周に位置している。つまり、外周部３１の一部とガイド部２４ｂの先端部２４ｄは、絶縁パイプ２５と対向電極２１との間に介在されている。
【００４０】
保持ブロック２４のガイド部２４ｂは、絶縁パイプ２５の軸方向中央よりも基端側（連結部材１７側）の外周を包囲しており、ガイド部２４ｂの先端部２４ｄ（被挟持部２４ａとは反対側の端部）が、絶縁パイプ２５内の端子部材３５よりもヘッド基端側に位置するように構成されている。
【００４１】
電極ホルダ２２の外周部３１は、その基端部３１ｂ（連結部材１７側の端部）が絶縁パイプ２５内の端子部材３５よりもヘッド基端側に位置するように構成され、絶縁パイプ２５におけるガイド部２４ｂから突出する部位と外周部３１とが空隙を介して径方向に対向している。更に、外周部３１の基端部３１ｂはガイド部２４ｂの先端部２４ｄの外周を包囲しており、外周部３１の基端部３１ｂとガイド部２４ｂの先端部２４ｄとは空隙を介して径方向に対向している。
【００４２】
つまり、絶縁パイプ２５の軸方向中間部から先端部にかけての部位では、絶縁パイプ２５と対向電極２１との径方向間に電極ホルダ２２の外周部３１のみが介在されている。また、絶縁パイプ２５の基端部では、絶縁パイプ２５と対向電極２１との径方向間にガイド部２４ｂのみが介在されている。そして、絶縁パイプ２５の軸方向中間位置であって端子部材３５よりもヘッド基端側の位置では、絶縁パイプ２５と対向電極２１との径方向間に外周部３１とガイド部２４ｂの両方が介在されるようになっている。
【００４３】
上記のように構成されたヘッド部１３内には、保持ブロック２４の貫通孔２４ｃを含むエア供給通路Ｐが、絶縁パイプ２５及び電極ホルダ２２の電極保持部３２にて高電圧印加部分（放電電極２３及び接続部３４）と隔離されて構成されている。詳しくは、エア供給通路Ｐは、ガイド部２４ｂと対向電極２１との径方向間、ガイド部２４ｂ先端と電極ホルダ２２の外周部３１基端との径方向間、絶縁パイプ２５と外周部３１との径方向間、及び電極保持部３２の周壁部３２ａと外周部３１との径方向間に構成されている。そして、エア供給通路Ｐは、電極ホルダ２２に形成された前記エア放出孔３３ａ及び電極保持部３２に形成された前記連通孔３２ｂと連通している。
【００４４】
次に、本実施形態の作用について説明する。
高電圧ケーブル１５の芯線１５ａから端子部材３５及び接触子３６を介して放電電極２３に交流高電圧が供給されると、対向電極２１との関係で、放電電極２３の先端部の周囲のイオン生成室Ｇ内でコロナ放電が発生し除電イオンが生じ、該イオン生成室Ｇのイオン放出口３２ｄ（周壁部３２ａの先端部）から除電イオンが放出される。そして、放電電極２３でのコロナ放電と連動してヘッド部１３内のエア供給通路Ｐに圧縮エアが供給され、イオン放出口３２ｄから放出された除電イオンが、主にエア放出孔３３ａから放出される圧縮エアに乗って除電対象物に対して供給される。なお、このとき、電極保持部３２の周壁部３２ａに形成された連通孔３２ｂによってその周壁部３２ａの内周側も正圧となるため、塵埃を含む外気が周壁部３２ａの内周側に入り込むことが抑制され、その結果、放電電極２３への塵埃の付着が抑制されるようになっている。
【００４５】
次に、本実施形態の特徴的な効果を記載する。
（１）放電電極２３を保持し該放電電極２３と対向電極２１との間の電気的絶縁を図る電極ホルダ２２がフッ素樹脂（本実施形態ではＰＦＡ）にて形成される。フッ素樹脂は比誘電率が比較的低い（ＰＦＡの比誘電率は２．１）ため、放電電極２３への高電圧印加時に電極ホルダ２２の例えば外周部３１と対向電極２１との間での放電の発生が抑制され、その結果、電極ホルダ２２の劣化が抑制される。更に、フッ素樹脂は耐熱性が高いため、電極ホルダ２２（外周部３１）を小径として放電電極２３と対向電極２１との径方向の間隔を狭くしても電極ホルダ２２の絶縁破壊が生じにくい。このように、電極ホルダ２２にフッ素樹脂を用いることで、電極ホルダ２２の劣化を抑えつつもヘッド部１３の小型化を可能となる。また、本実施形態のようにフッ素樹脂の中でも射出成形可能なＰＦＡを電極ホルダ２２に採用することで、射出成形によって低コストで電極ホルダ２２を複雑形状に形成する（例えば、電極保持部３２の周壁部３２ａに連通孔３２ｂを形成する）ことが可能となる。
【００４６】
（２）電極ホルダ２２には、絶縁パイプ２５と対向電極２１との間に介在されるとともに絶縁パイプ２５の外周における接続部３４と対応する部位を包囲する外周部３１（包囲部）が一体形成される。これにより、放電電極２３と高電圧ケーブル１５との接続部３４の外周が、共にフッ素樹脂よりなる絶縁パイプ２５と電極ホルダ２２の外周部３１とによって包囲されるため、絶縁パイプ２５及び電極ホルダ２２の絶縁部に絶縁破壊が生じることがより一層抑制され、その結果、ヘッド部１３のより一層の小型化に寄与できる。また、電極ホルダ２２の外周部３１が絶縁パイプ２５と対向電極２１との間に介在されるため、絶縁パイプ２５と対向電極２１との間での放電の発生を抑制することができる。
【００４７】
（３）ヘッド部１３は、接続ケーブル１２の先端部から導出されヘッド部１３内に挿通された高電圧ケーブル１５の先端導出部１５ｄを保持する保持ブロック２４（保持部材）を備え、該保持ブロック２４がフッ素樹脂（本実施形態では、比誘電率が２．１であるＰＴＦＥ）にて形成される。これにより、電極ホルダ２２にフッ素樹脂を用いた場合と同様に、保持ブロック２４と対向電極２１との間での放電の発生が抑制されて保持ブロック２４の劣化が抑制されるとともに、フッ素樹脂の耐熱性の高さから保持ブロック２４を小型としても絶縁破壊が生じることが抑制され、その結果、ヘッド部１３のより一層の小型化に寄与できる。
【００４８】
（４）保持ブロック２４は、高電圧ケーブル１５の先端導出部１５ｄの外周を包囲する筒状をなし、保持ブロック２４の先端部（ガイド部２４ｂの先端部２４ｄ）が電極ホルダ２２の外周部３１の基端部３１ｂの内周側に位置している。この構成によれば、高電圧ケーブル１５の先端導出部１５ｄから放電電極２３に亘る高電圧印加部分の全体がフッ素樹脂よりなる電極ホルダ２２及び保持ブロック２４の少なくとも一方にて包囲されるため、放電電極２３と対向電極２１との間の絶縁部分の絶縁破壊をより一層抑制することができる。
【００４９】
（５）電極ホルダ２２には、ヘッド部１３に供給された圧縮エアを放出するエア放出孔３３ａが形成され、除電イオンをエア放出孔３３ａから放出される圧縮エアに乗せて除電対象物に供給可能に構成される。これにより、ヘッド部１３で生成された除電イオンを除電対象物に効率的に供給することが可能となる。
【００５０】
（６）電極ホルダ２２は、放電電極２３の外周を包囲する筒状の周壁部３２ａを有し、該周壁部３２ａの内周側に構成されるイオン生成室Ｇ内で生成された除電イオンを周壁部３２ａ先端のイオン放出口３２ｄから放出するように構成される。そして、圧縮エアを放出するエア放出孔３３ａはイオン放出口３２ｄの外周側の位置に形成されるため、除電イオンを除電対象物により効率的に供給することが可能となる。
【００５１】
（７）周壁部３２ａには、エア供給通路Ｐとイオン生成室Ｇとを連通する連通孔３２ｂが形成される。これにより、電極ホルダ２２の周壁部３２ａに形成された連通孔３２ｂによってイオン生成室Ｇ内が正圧となるため、周壁部３２ａのイオン放出口３２ｄからイオン生成室Ｇに外気が入り込むことを抑制することができる。その結果、外気に含まれる塵埃等がイオン生成室Ｇ内及び放電電極２３に付着することを抑制することができる。
【００５２】
（８）電極ホルダ２２の各エア放出孔３３ａの放出口が放電電極２３先端よりもヘッド先端側に位置している。これにより、電極ホルダ２２の先端部付近に形成される除電イオンを、エア放出孔３３ａから放出される圧縮エアに乗せてより効率的に除電対象物に供給することができる。
【００５３】
（９）ヘッド部１３を構成する電極ホルダ２２、保持ブロック２４及び絶縁パイプ２５の３部品が全てフッ素樹脂よりなるため、対向電極２１との間の放電の発生をより一層抑制することが可能となり、また、セラミックを用いる場合に比べて省コスト化に寄与できる。
【００５４】
なお、上記実施形態は、以下のように変更してもよい。
・電極ホルダ２２、保持ブロック２４及び絶縁パイプ２５に用いるフッ素樹脂の種類は上記実施形態のものに限定されるものではなく、構成に応じて適宜変更してもよいが、対向電極２１との間の放電を抑制する点から上記実施形態のようにＰＦＡやＰＴＦＥ等の比誘電率が２．１以下のフッ素樹脂を用いるのが好ましい。
【００５５】
・上記実施形態では、電極ホルダ２２、保持ブロック２４及び絶縁パイプ２５をそれぞれ別体で構成したが、絶縁パイプ２５を電極ホルダ２２及び保持ブロック２４の少なくとも一方と同一材料にて一体形成することで、ヘッド部１３の構成を簡素化することが可能となる。
【００５６】
・上記実施形態では、保持ブロック２４をフッ素樹脂にて形成したが、これ以外に例えば、セラミック等にて形成してもよい。
・上記実施形態では、放電電極２３と対向電極２１との間の絶縁部分において、放電電極２３と高電圧ケーブル１５との接続部３４を覆う被覆部（絶縁パイプ２５）をフッ素樹脂で構成したが、これに限定されるものではなく、耐熱性に優れた例えばセラミックで構成してもよい。絶縁パイプ２５は、放電電極２３と高電圧ケーブル１５との接続部３４を覆っていることから、放電電極２３と対向電極２１との間の絶縁部を構成する部位の中で特に絶縁破壊が生じやすい。そして、その絶縁パイプ２５のみをセラミックにて形成することで、放電電極２３と対向電極２１との間の電極ホルダ２２を含めた絶縁部分の絶縁破壊をより抑えることができ、ヘッド部１３のより一層の小型化に寄与できる。
【００５７】
電極ホルダ２２及び保持ブロック２４の形状等の構成は上記実施形態に限定されるものではなく、構成に応じて適宜変更してもよい。
・本体コントローラ１１は、高電圧の生成とエアの流量とを調整する機能を有するものであったが、備える機能はこれに限定されるものではない。
【符号の説明】
【００５８】
１０…除電装置、１２…接続ケーブル、１３…ヘッド部、１５…高電圧ケーブル、１５ｄ…先端導出部、２１…対向電極、２２…電極ホルダ、２３…放電電極、２４…保持ブロック（保持部材）、２５…絶縁パイプ、３１…外周部（包囲部）、３２…電極保持部、３２ａ…周壁部、３２ｂ…連通孔、３２ｄ…イオン放出口、３３ａ…エア放出孔、３４…接続部、Ｇ…イオン生成室、Ｐ…エア供給通路。
【図１】
0006452998.tif 000002